(57)【要約】【課題】  夏場の高温下においても、ＥＬシートの形状を保持し、かつ、ＥＬシートの端子と配線との間に介在する導電性接着剤が流動しても、導通不良を防止することができるＥＬシートが封入されたガラスパネルを提供する。【解決手段】  ＥＬシート４とこのＥＬシート４に設けた端子６に導電性接着剤１５を介して接続された配線８の一部とを、透明な中間膜２０ａ，２０ｂを介して透明なガラス２１ａ，２１ｂに封入したガラスパネル１とし、中間膜２０ａ，２０ｂは耐熱性弾性樹脂から形成されている。【選択図】      図３
2005158638.tif 000002
【特許請求の範囲】
【請求項１】
ＥＬシートとこのＥＬシートに設けた端子に導電性接着剤を介して接続された配線の一部とを、透明な中間膜を介して透明なガラスに封入したガラスパネルであって、
前記中間膜は耐熱性弾性樹脂から形成されたことを特徴とするガラスパネル。
【請求項２】
前記端子と前記配線の一部とを覆うようにして、前記ガラスに隠蔽膜を設けたことを特徴とする請求項１に記載のガラスパネル。
【発明の詳細な説明】
【技術分野】
【０００１】
本発明は、ＥＬ（Ｅｌｅｃｔｒｏ  Ｌｕｍｉｎｅｓｃｅｎｃｅ）シートが封入されたガラスパネルに関する。
【背景技術】
【０００２】
近年、薄型化、軽量化が容易で、豊富な発光色が得られるＥＬシートが注目されており、各種照明、表示パネル等に使用されている。図６に、このＥＬシートの断面構造の一例を示す。図６に示すように、ＥＬシート５０は、絶縁性を有する透明基板５１を備え、この透明基板５１の上面には、透明電極層５２が形成されている。さらに、透明電極層５２上に、発光層５３と絶縁層５４と背面電極層５５とが順次積層されている。なお、図６における各層の全層に対する厚み比は、分かり易くするため、実際とは異なり全て同じ値になるように描いている（以下、ＥＬシートの層構成を示す図は、同様に描くものとする）。
【０００３】
透明電極層５２および背面電極層５５のそれぞれに設けた端子（図示せず）の間を、交流電源５６を介して配線５７，５８により接続し、交流電圧を印加すると、発光層５３内で、加速された電子が発光中心に衝突することにより、透明基板５１側（図中下方側）から発光する。
【０００４】
このＥＬシート５０は湿気に弱いため、通常は何らかの防湿手段を用いて、湿気による劣化を防いでいる。例えば、ＥＬシート５０を、透明なガラス等に封入することにより、湿気による劣化を抑えることができる。図７に、ＥＬシート５０を封入したガラスパネル６０の断面構造の一例を示す。図７に示すように、ガラスパネル６０は、ＥＬシート５０（層構成は省略している）が、透明な封入部材６１ａ，６１ｂを介して合わせガラス６２ａ，６２ｂに挟まれた構造を有している。
【０００５】
このガラスパネル６０は、湿気によるＥＬシート５０の劣化を防ぐと同時に、発光パネルとしての機能も有する。例えば、図８に示すように、ガラスパネル６０を、車両の固定ルーフ７０に設けた開口部７１に装着されるサンルーフパネル７２に使用した場合は、ＥＬシート５０による発光を、車両用のルームライト等に使用することができる。
【０００６】
また、前記した封入部材６１ａ，６１ｂ（図６）には、透明性を有し、かつ耐湿性を有するものを用いることができる。例えば、特許文献１には、合わせガラスに適用した例ではないが、シリコンオイルを封止材として用いたＥＬパネルについて記載されている。シリコンオイルは耐湿性に優れた封止材であるため、これを封入部材６１ａ，６１ｂとして用いた場合は、ガラスパネル６０の外周端面６０ａからの空気中の水分の浸入を防ぐことができる。
【特許文献１】特開２００３−１７３８６８号公報（段落００１８〜００２１、図１〜４）
【発明の開示】
【発明が解決しようとする課題】
【０００７】
しかし、シリコンオイルを封入部材６１ａ，６１ｂとして用いた場合は、シリコンオイルが流動性を有しているため、特に夏場の高温下においては、ＥＬシート５０の形状保持が困難となる。更に、透明電極層５２に設けた端子（図示せず）と配線５７（図５）との間、および背面電極層５５に設けた端子（図示せず）と配線５８（図５）との間に介在する導電性接着剤が流動し、導通不良が生じるおそれがある。
【０００８】
本発明は、このような問題に鑑みてなされたものであって、夏場の高温下においても、ＥＬシートの形状を保持し、かつ、ＥＬシートの端子と配線との間に介在する導電性接着剤が流動しても、導通不良を防止することができるガラスパネルを提供することを課題とする。
【課題を解決するための手段】
【０００９】
前記課題を解決した本発明のうちの請求項１に記載された発明は、ＥＬシートとこのＥＬシートに設けた端子に導電性接着剤を介して接続された配線の一部とを、透明な中間膜を介して透明なガラスに封入したガラスパネルであって、前記中間膜は耐熱性弾性樹脂から形成されたことを特徴とする。
【００１０】
請求項１に記載のガラスパネルは、透明な中間膜が耐熱性弾性樹脂から形成されている。ここで、耐熱性弾性樹脂とは、高温下においても弾性を維持している樹脂のことをいう。耐熱性弾性樹脂から形成されているため、夏場の高温下においても、中間膜の弾性により、ＥＬシートの形状を保持することができる。更に、ＥＬシートの端子と配線との間に介在する導電性接着剤が流動しても、中間膜の弾性により、端子と配線との間の接触状態を維持できるので、導通不良を防止することができる。
【００１１】
また、請求項２に記載された発明は、請求項１に記載のガラスパネルにおいて、前記端子と前記配線の一部とを覆うようにして、前記ガラスに隠蔽膜を設けたことを特徴とする。
【００１２】
請求項２に記載のガラスパネルは、封入された端子と配線の一部とを覆うようにして、例えば、黒セラミック塗料を塗布する等により隠蔽膜を設けている。これにより、配線構造が外部から見えなくなるため、美観が損なわれずに済む。
【発明の効果】
【００１３】
このようなガラスパネルによれば、中間膜の弾性により、夏場の高温下においても、ＥＬシートの形状を保持し、かつ、ＥＬシートの端子と配線との間に介在する導電性接着剤が流動しても、導通不良を防止することができる。更に、封入された端子と配線の一部とを覆うようにして、隠蔽膜を設けた場合は、配線構造が外部から見えなくなるため、美観が損なわれずに済む。
【発明を実施するための最良の形態】
【００１４】
次に、本発明の実施形態に係るガラスパネルをサンルーフパネルに適用した例について、適宜図面を参照して説明する。
【００１５】
参照する図１は、本発明の一実施形態に係るガラスパネル（サンルーフパネル）の上面図である。図２は、図１のＡ部において封入されたＥＬシートの端子部近傍を示す斜視図である。図３は、図１のＢ−Ｂ線断面図である。
【００１６】
図１に示すように、本発明の一実施形態に係るサンルーフパネル１は、車両の固定ルーフ２に設けた開口部３に装着されている。サンルーフパネル１にはＥＬシート４が封入されており、さらに、このＥＬシート４に設けられた端子５，６には、それぞれ配線７，８が接続されている。なお、サンルーフパネル１は特許請求の範囲にいう「ガラスパネル」に相当する。
【００１７】
また、図２に示すように、ＥＬシート４は、透明基板１０上に、透明電極層１１と、発光層１２と、絶縁層１３と、背面電極層１４とが順次積層されている。
【００１８】
透明基板１０の材料は、絶縁性を有していればよく、例えばポリエチレンテレフタレート（ＰＥＴ）等を好適に使用することができる。透明電極層１１については、導電性を有していれば特に限定されないが、良好な光透過性および導電性を有する酸化インジウム錫（ＩＴＯ）等を好適に使用することができる。
発光層１２を形成する発光体については、電界発光体であれば特に限定されないが、発光強度の大きい硫化亜鉛（ＺｎＳ）等を好適に使用することができる。また、絶縁層１３を形成する絶縁体は、高誘電性を有していればよく、例えば、チタン酸バリウム（ＢａＴｉＯ3）等を好適に使用することができる。
背面電極層１４については特に限定されないが、カーボン等を好適に使用することができる。
【００１９】
各層の厚みは、透明基板１０の厚みが７５〜１８８μｍ、透明電極層１１の厚みが１〜５μｍ、発光層１２の厚みが１０〜３０μｍ、絶縁層１３の厚みが３０〜６０μｍ、背面電極層１４の厚みが１０〜４０μｍであることが好ましい。
【００２０】
次に、ＥＬシート４の作製方法の一例について説明する。まず、ＰＥＴ等の透明基板１０上に、透明電極層１１を設ける。透明電極層１１として、ＩＴＯを用いる場合は、蒸着により設けるか、ＩＴＯ粉末を分散して溶剤に溶かしたＩＴＯ層の形成用インクを塗布することにより設ければよい。次に、発光層１２をスクリーン印刷により設ける。このスクリーン印刷の際、端子６が設けられる部位１２ａが突出して印刷され、かつ、端子５に印刷されないようにパターンが形成されたスクリーン版を使用するのが好ましい。続いて、発光層１２上に、絶縁層１３と背面電極層１４とをこの順にスクリーン印刷により設ける。
【００２１】
続いて、透明電極層１１および背面電極層１４のそれぞれに設けた端子５および端子６に、導電性接着剤１５を介してそれぞれ配線７および配線８を接続する。導電性接着剤１５は特に限定されないが、例えば、良好な導電性を有する接着銀ペースト等が好適に使用できる。
【００２２】
次に、サンルーフパネル１の構成について、図３を参照して説明する。図３に示すように、サンルーフパネル１は、ＥＬシート４（層構成は省略している）が、透明な中間膜２０ａ，２０ｂを介して、透明な合わせガラス２１ａ，２１ｂに挟まれた構造を有する。ＥＬシート４は、透明基板１０（図２）を車内側（図中下側）に向けて、封入されている。これにより、ＥＬシート４による発光を、車両用のルームライト等に使用することができる。
【００２３】
中間膜２０ａ，２０ｂは、透明性を有し、かつ、高温下において弾性を有する樹脂（耐熱性弾性樹脂）から形成されている。このような耐熱性弾性樹脂としては、ポリビニルブチラール樹脂で代表されるポリビニルアセタール系樹脂、エチレン−酢酸ビニル系樹脂、エチレン−エチルアクリレート系樹脂、塩化ビニル系樹脂等の透明性を有する樹脂であり、かつ、１０（ｒａｄ／ｓ）で測定した、１００℃の貯蔵弾性率（Ｇ100´）が、５．０×１０4Ｐａ以上である樹脂が好適に使用できる。中間膜２０ａ，２０ｂが、耐熱性弾性樹脂から形成されているため、夏場の高温下においても、中間膜２０ａ，２０ｂの弾性が維持され、ＥＬシート４の形状を保持することができる。更に、ＥＬシート４の端子５（図２），６と配線７（図２），８との間に介在する導電性接着剤１５が流動しても、中間膜２０ａ，２０ｂの弾性により、端子５，６と配線７，８との間の接触状態を維持できるので、導通不良を防止することができる。
【００２４】
また、中間膜２０ａ，２０ｂを用いてＥＬシート４を封入する際、ＥＬシート４と中間膜２０ａ，２０ｂとの間に空気が入り込んで、両者間に気泡が発生するおそれがあるため、中間膜２０ａ，２０ｂには、その両面に微細な凹凸からなるエンボスが形成されたものを用いるのが好ましい。
エンボスを形成するには、エンボスロールを用いるエンボスロール法が好適である。エンボスロールとしては、例えば、彫刻ミル（マザーミル）の凹凸模様を金属ロールに転写することにより作製されたエンボスロールが好適に使用される。
【００２５】
エンボスの凹凸模様は、特に限定されず、整然と規則的に分布していてもよく、雑然と不規則的に分布していてもよい。また、各凸部の高さは、全て同じ高さであっても異なる高さであってもよく、この凸部に対する各凹部の深さも、全て同じ深さであっても異なる深さであってもよい。
【００２６】
また、上記凸部の形状も、特に限定されない。一般に、三角錐、四角錐、円錐等の錐体、截頭三角錐、截頭四角錐、截頭円錐等の截頭錐体、頭部が山型や半球状となった擬錐体等からなる多数の凸部と、これ等の凸部に対する多数の凹部とから構成された凹凸模様とされ、特に、錐体、または山型や半球状の擬錐体からなる多数の凸部を有する凹凸模様が好ましい。
【００２７】
また、これ等のエンボスの凹凸模様の寸法も、特に限定されない。一般に、凸部の間隔は、おおむね１０〜２０００μｍの範囲、特に２００〜１０００μｍの範囲のものが好ましい。また、凸部の高さは、おおむね５〜５００μｍの範囲、特に２０〜１００μｍの範囲のものが好ましい。
【００２８】
合わせガラス２１ａ，２１ｂは、特に限定されないが、ＥＬシート４の耐久性向上のため紫外線カット機能を備えたものが好ましい。紫外線カット機能を備えたガラスには、ガラス自体が紫外線を吸収または反射するものや、ガラス表面に紫外線カットフィルムを貼設したもの等がある。
【００２９】
次に、ＥＬシート４を合わせガラス２１ａ，２１ｂへ封入する方法の一例について説明する。まず、中間膜２０ａ，２０ｂの間にＥＬシート４を挟み込み、さらに、ＥＬシート４を挟み込んだ中間膜２０ａ，２０ｂを、合わせガラス２１ａ，２１ｂで挟み込む。そして、挟み込んだ合わせガラス２１ａ，２１ｂを両側（図３のサンルーフパネル１に対し、図中上下方向）からオートクレーブを用いて加熱し加圧することにより、ＥＬシート４が合わせガラス２１ａ，２１ｂへ封入される。この際、ＥＬシート４に接続された配線７（図２）および配線８を、中間膜２０ａ，２０ｂの間から延出させた状態で加熱させて加圧する。
【００３０】
また、図３に示すように、合わせガラス２１ａ，２１ｂのうち、車外側ガラス２１ａの内面端部２１１ａには、配線７および配線８の一部（封入された部分）と、端子５および端子６とを覆うようにして、黒セラミック塗料を塗布する等によって隠蔽膜２２を設けるのが好ましい。これにより、ＥＬシート４の配線構造が外部から見えなくなるため、美観が損なわれずに済む。
【００３１】
ＥＬシート４に接続された配線８は、サンルーフパネル１の外周端面１ａに設けた延出部１ｂから延出されている。この延出された配線８は、サンルーフパネル１の外周端面１ａおよびサンルーフパネル１の車内面１ｃに沿って這わせ、サンルーフパネル１の車内面１ｃに設けた給電カプラー２３に接続されている。また、図示はしないが、配線７も同様にして、給電カプラー２３に接続されている。そして、配線７および配線８は、この給電カプラー２３を介して、交流電源（図示せず）に接続されている。なお、給電カプラー２３は、接着剤等によって車内面１ｃ上に設ければよい。また、交流電源の代わりに直流電源を使用する場合は、直流電源にインバーターを接続し、直流を交流に変換すればよい。
【００３２】
続いて、サンルーフパネル１の枠構造について、図３を参照して説明する。図３に示すように、サンルーフパネル１の外周端面１ａに面して、粘性部材２４が、延出部１ｂを塞ぐようにして粘着されている。これにより、延出部１ｂがシールされ、延出部１ｂからの水分の浸入を効果的に防ぐことができる。この粘性部材２４には、ガス不透過性と粘着性に優れ、かつ、常温において高粘性を有するものであれば、特に限定されないが、イソプレンとイソブチレンの共重合体であるブチルゴムが好適に使用できる。
【００３３】
また、粘性部材２４は、サンルーフパネル１の外周側に接着剤２５を介して配設されたウェザストリップ２６と、サンルーフパネル１の外周端面１ａとの間に充填されている。これにより、粘性部材２４の形状が保持される。なお、ウェザストリップ２６を形成する材料には公知の材料を使用することができるが、エチレンαオレフィン系ゴム（ＥＯＲ）等が好適に使用できる。
【００３４】
ウェザストリップ２６は、その外周側（図中左側）に設けられた湾曲部２６ａと、その内周側の下方に設けられた水平部２６ｂと、その内周側の上方に設けられたリップ部２６ｃと、湾曲部２６ａと水平部２６ｂとの間に設けられた溝部２６ｄとを有している。溝部２６ｄには、サンルーフパネル１を支えるパネルホルダー２７が嵌合されている。このパネルホルダー２７は、接着剤２８を介してサンルーフパネル１を支えている。
【００３５】
また、図３に示すように、ウェザストリップ２６は、その湾曲部２６ａおよびリップ部２６ｃが、それぞれ固定ルーフ２の開口部側壁２ａおよびサンルーフパネル１の外周端面１ａに当接し、弾性変形している。これにより、ほこりや水の車内への浸入を防いでいる。
【００３６】
以上、好ましい実施形態について説明したが、本発明は前記実施形態に限定されるものではない。例えば、前記実施形態では、ガラスパネルに封入するＥＬシートとして、透明基板１０上に、透明電極層１１と、発光層１２と、絶縁層１３と、背面電極層１４とが順次積層されたＥＬシート４（図２）を用いたが、本発明に用いられるＥＬシートはこれに限定されず、例えば、図４に示すように、透明基板３１上に、第１の透明電極層３２と、第１の発光層３３と、第１の絶縁層３４と、背面電極層３５と、第２の絶縁層３６と、第２の発光層３７と、第２の透明電極層３８とが順次積層されたＥＬシート３０を用いてもよい。これにより、ガラスパネルの両側に発光させることができるので、このガラスパネルを車両のサンルーフパネルに使用した場合は、車内への発光をルームライトとして使用し、車外への発光をイルミネーションライト等の装飾装置として使用することができる。
【００３７】
また、図５に示すように、透明層または貫通孔のみで構成される採光部４０を有するＥＬシート４１を封入したガラスパネル４２としてもよい。これにより、採光部４０から採光可能となるので、発光性と採光性とを兼ね備えたガラスパネルとすることができる。
【図面の簡単な説明】
【００３８】
【図１】本発明の一実施形態に係るガラスパネル（サンルーフパネル）の上面図である。
【図２】図１のＡ部において封入されたＥＬシートの端子部近傍を示す斜視図である。
【図３】図１のＢ−Ｂ線断面図である。
【図４】本発明に用いられるＥＬシートの変形例を示す断面図である。
【図５】本発明の変形例に係るガラスパネル（サンルーフパネル）の全体斜視図である。
【図６】ＥＬシートの断面図である。
【図７】ＥＬシートが封入されたガラスパネルの断面図である。
【図８】サンルーフパネルの全体斜視図である。
【符号の説明】
【００３９】
１      サンルーフパネル（ガラスパネル）
４      ＥＬシート
５      端子
６      端子
７      配線
８      配線
１５    導電性接着剤
２０ａ  中間膜
２０ｂ  中間膜
２１ａ  ガラス
２１ｂ  ガラス
２２    隠蔽膜
３０    ＥＬシート
４１    ＥＬシート
４２    ガラスパネル
【図１】
2005158638.tif 000003
【図２】
2005158638.tif 000004
【図３】
2005158638.tif 000005
【図４】
2005158638.tif 000006
【図５】
2005158638.tif 000007
【図６】
2005158638.tif 000008
【図７】
2005158638.tif 000009
【図８】
2005158638.tif 000010